(57)【要約】視聴者が視聴領域内で視聴しているコンテンツ表示ユニットにストリーミングペイパービューデジタルコンテンツをストリーミングするための装置が開示される。視聴者検出コントローラは、視聴者に存在する視聴者の数に対して支払いが受信されたか否かに応じて、コンテンツの表示を制御する。 コントローラは、視聴エリア内の視聴者の1人または複数のメンバーの存在を検出するために熱カメラと組み合わされた1つまたは複数の光応答型カメラと、視聴者の人数を検出するために取り込まれた画像を分析するオペレーティングシステムとを含む。コントローラはさらに、ストリーミングコンテンツに挿入されたウォーターマークを捕捉してコントローラがディスプレイユニットと同じ部屋にいることを確認するための逆カメラと、IR照明と、周辺光状態を検出する周囲光センサとを含む。
2017518714.tif 000002
【特許請求の範囲】
【請求項１】
デジタルオーディオおよびビデオコンテンツのペイパービューストリーミングを、ビデオディスプレイスクリーンおよびオーディオスピーカーを有し、視聴エリア内の視聴者によって視聴および/または聴取されるコンテンツ表示ユニットに制御するためのコントローラであって、
前記ディスプレイユニットに近接して配置されるように構成されたハウジングと、前記ベースに取り付けられたカメラモジュールとを含むハウジングと、
前記ベース内に配置されたプロセッサとメモリと、そして
前記表示領域を含むシステム視野を有し、前記プロセッサに動作可能に接続され、前記視聴領域内の視聴者の1人以上の存在を検出する複数のカメラと、
を備える、コントローラ。
【請求項２】
前記ディスプレイユニットのスクリーンショットの少なくとも一部をキャプチャするために、前記ディスプレイユニットのスクリーンを見るための向きで前記ベース内に収容されたリバースカメラをさらに備える、請求項1に記載のコントローラ。
【請求項３】
前記複数のカメラは、前記システム視野を規定する立体画像を提供するように離間された2つのHDカメラと、前記2つのHDカメラの間に取り付けられた熱カメラとを含む、請求項1に記載のコントローラ。
【請求項４】
請求項1に記載のコントローラにおいて、
前記筐体は、前記表示部の上端に取り付け可能に構成され、
前記ベースは、前記上端部から前方及び下方に延びる前方部分を備え、前記前方部分は、前記ディスプレイユニットの前記スクリーンに面する延長部を有する壁部を含み、
後部カメラが前面部分内に収容され、スクリーン内の開口を介して直接的に後方に見えるように方向付けられた逆方向カメラが、コントローラが視聴領域内にあることを確認するためにスクリーン上のストリーミングされたデジタルビデオコンテンツに挿入された電子透かしを取り込む。
【請求項５】
請求項1に記載のコントローラにおいて、
ハウジングは、一端がベースの上部壁面に固定され、他端がモジュールに固定されてモジュールを上部壁面の上方に旋回可能に支持する垂直に延びる中空のポストをさらに含み、
第2のサーボモータが中空ポスト内に取り付けられてモジュールを水平軸を中心として上下に自動的に回転させる第1のサーボモータと、
モジュールの垂直軸及び水平軸の周りの回転により、モジュール内に収容された複数のカメラが、壁から壁及び天井から床までの観察領域のビデオ及び/又は静止画像を捕捉して1つ以上の部材の存在を検出することを可能にする。 表示領域の視聴者。
【請求項６】
請求項1に記載のコントローラにおいて、
モジュールは、開位置と閉位置との間で回転するようにモジュールの前縁に旋回可能に取り付けられた前面カバーフラップと、
フラップは、閉じた位置にあるとき、視聴者のプライバシーを確保するためにモジュール内に収容された複数のカメラを覆う。
【請求項７】
各HDカメラは、周囲照明条件が最小レベルを下回ったときに前記表示領域を照らすためのIR光源と、前記表示領域内の周囲照明条件を検出する周辺光センサとを含む、請求項3に記載のコントローラ。
【請求項８】
前記IR光源及び前記周辺光センサは、前記HDカメラの内蔵部品であることを特徴とする請求項7に記載のコントローラ。
【請求項９】
前記HDカメラは、前記視聴領域内の視聴者の1人以上の存在を検出するための顔認識ソフトウェアを含む、請求項3に記載のコントローラ。
【請求項１０】
請求項9に記載のコントローラにおいて、
前記HDカメラの前記立体映像は、前記視聴者の前記1人以上のメンバーが前記コントローラからの距離を検出し、
認識された顔の検出と組み合わせて距離を検出することにより、視聴者の一人以上のメンバーが幼児/幼児/子供であるかどうかが決定される。
【請求項１１】
前記熱カメラは、前記視聴領域内の人物の体の熱パターンを検出して、前記人を前記視界領域内の彫像または肖像と区別する、請求項3に記載のコントローラ。
【請求項１２】
前記ベース内に取り付けられたマイクロホンをさらに備え、前記マイクロフォンは、前記コントローラによって以前にダウンロードされたキャプチャされたオーディオファイルとマッチングするために、前記ディスプレイユニットの前記スピーカから前記オーディオをキャプチャして、コントローラが表示領域にあることを確認する請求項1に記載のコントローラ。
【請求項１３】
請求項3に記載のコントローラにおいて、
前記HDカメラは、前記HDカメラの検出サイクル中に、前記視聴領域内の視聴者の1人以上の存在を検出し、IRパターンを別個のパターンで放射して、 表示エリア内の任意の外部カメラ。
【請求項１４】
請求項13に記載のコントローラにおいて、
検出された外部カメラのレンズから反射された放射されたIR光は、システムの視野内にあり、検出サイクルの間に捕捉された画像またはHDカメラによって撮影されたビデオに存在し、
前記プロセッサは、IR光の反射を検出するために、取り込まれた画像またはビデオを分析するように構成される、装置。
【請求項１５】
請求項13に記載のコントローラにおいて、
検出サイクル中のIR光源は、システムの視野内に配置されたミラーまたは透明なカバーを検出するために、別個のパターンでIR光を放射する。
前記プロセッサは、前記検出サイクル中に前記HDカメラによって撮影されたキャプチャされた画像またはビデオを分析して、前記システムの視野内にミラーまたは透明カバーが配置されているかどうかを決定するように構成される、システム。
【請求項１６】
請求項1に記載のコントローラにおいて、
サーバ側透かし入れシステムは、ストリーミングされたデジタルビデオコンテンツにエンドユーザのユーザ名とIPアドレスとを組み込んだウォーターマークをデジタルで挿入し、
プロセッサは、ビデオコンテンツからユーザのユーザ名およびIPアドレスを抽出して、コンテンツが不正にコピーまたは盗まれた場合にユーザに追跡可能な識別情報を提供するように構成される。
【請求項１７】
デジタルオーディオ及びビデオコンテンツのペイパービューストリーミングを制御するためのシステムであって、視聴領域内の視聴者によって視聴及び/又は聴取されるシステムであって、
映像表示画面及び音声スピーカを有するコンテンツ表示部と、
前記ベースに取り付けられたカメラモジュールとを含む、前記ディスプレイユニットに近接して配置可能なハウジングを有するコントローラと、
前記ベース内に配置されたプロセッサとメモリと、そして
モジュール内に収容され、視聴領域を含むシステム視野を有し、視聴領域内の視聴者の1人以上の存在を検出するためにプロセッサに動作可能に接続された複数のカメラと、
前記システムの視野内の視聴者のビデオおよび/または静止画像をキャプチャするために前記コンテンツのストリーミング中に前記視聴領域をスキャンするように構成され、前記プロセッサは、前記キャプチャされたビデオおよび/または静止画像を分析して、ペイ・パー・ビュー・デジタル・コンテンツを視聴するために購入されたチケットよりも多くの視聴者がコンテンツのストリーミング中に視聴領域に存在するかどうかを判定し、
前記ディスプレイユニットのスクリーンショットの少なくとも一部を捕捉するように前記ディスプレイユニットのスクリーンを見るための向きで前記ベースに収容されたリバースカメラをさらに備える、システム。
【請求項１８】
請求項17に記載のシステムであって、
前記複数のカメラは、前記デジタルオーディオおよびビデオコンテンツのストリーミング中に前記システムの視野内の前記聴衆の画像を取り込むための少なくとも1つのHDカメラと、体の熱の画像を捕捉する熱カメラとを含む、請求項17に記載のシステム。 少なくとも1つのHDカメラによって検出された人間の聴衆を、顔を有する肖像および/または彫像から区別するために、コンテンツのストリーミング中にシステムの視野に存在する人間のパターン。
【請求項１９】
請求項17に記載のシステムであって、
前記筐体は、前記表示部の上端に取り付けられ、
前面部の壁を貫通してディスプレイユニットのスクリーンに面する逆カメラアパーチャを含む前方及び下方に延びる前方部を有し、
前記逆方向カメラは、前記前方セクション内に収容され、前記スクリーン上の開口を介して直接的に後方に見るように方向付けられ、前記ストリーム化されたデジタルビデオコンテンツに挿入された電子透かしを前記スクリーン上にキャプチャして、前記コントローラがシステム視野。
【請求項２０】
視聴エリア内の視聴者によって視聴および/または聴取されているデジタルオーディオおよびビジュアルコンテンツのペイパービューストリーミングを制御する方法であって、
ストリーミングデジタルビデオコンテンツを画面を有するディスプレイユニットに表示するステップと、
前記ストリーミング音声を表す音声を前記表示部のスピーカから前記視聴領域に配信し、
HDカメラユニットと、サーマルカメラと、プロセッサと、メモリとを有する制御モジュールと、
視聴者のビデオおよび/または静止画像をキャプチャするためにデジタルオーディオおよびビデオコンテンツのストリーミング中にHDカメラユニットおよび熱カメラで視聴領域をスキャンし、
前記ペイ・パー・ビュー・デジタル・コンテンツを視聴するために購入されたチケットよりも多くのオーディエンス・メンバーが前記コンテンツのストリーミング中に前記視聴領域内に存在するかどうかを判定するために、前記取得されたビデオおよび/
購入したチケットより多くの視聴者が検出されたときにストリーミングコンテンツを一時停止する。
【請求項２１】
請求項20に記載の方法であって、
前記HDカメラユニットは、可視光カメラおよびIRカメラを含み、前記方法は、前記可視領域内の前記周辺光が所定の光レベルを上回った場合に前記可視光カメラで前記可視領域を走査するステップをさらに含み、観察中の周辺光レベルが前記所定の光レベルを下回っているときに前記観察領域を走査するステップとを含む方法。
【請求項２２】
前記制御モジュールに収容されたリバースカメラを用いて、前記ストリーミングされたデジタルコンテンツに挿入された電子透かしを前記画面上で見て、前記制御モジュールが前記視聴領域内にあることを確認するステップをさらに含む、請求項20に記載の方法。
【請求項２３】
視聴者が時間単位で前記ストリーミングされたコンテンツを支払うことを可能にするステップをさらに含む、請求項20に記載の方法。
【発明の詳細な説明】
【技術分野】
【０００１】
（関連出願への相互参照）
本出願は、2014年3月27日に出願された「映画を見るための技法」という名称の米国仮出願第61 / 971,028号に基づく優先権を主張し、その優先権を主張する非仮出願であり、その開示は、 。
【０００２】
（発明の分野）
本発明は、一般に、消費者に、ディスプレイ装置および高速インターネット接続、特に第1ランマルチメディアコンテンツを有する場所で、自分の家の居心地の良いマルチメディアコンテンツを見る機会を消費者に提供するためのシステム、方法および装置に関する。映画、ライブコンサート、スポーツイベント、ミュージカル、オペラ、ブロードウェイショー、コメディショー、セミナーなどがあります。
【背景技術】
【０００３】
（発明の背景）
家庭内または他の環境内の視聴者のメンバーにマルチメディアコンテンツを配信するために利用可能な技術は数多くあります。例えば、起動イベントを検出するコンテンツ配信装置が提供されるシステムおよび装置が開発されている。起動イベントは、コンテンツ配信デバイスを第1のモードで動作させ、視聴エリア内の視聴者の1人以上の存在を検出する。視聴領域内の視聴者の数が決定されると、コンテンツ配信装置は第2のモードに切り替えて、視聴者のメンバーの数に基づいてマルチメディアコンテンツの支払いを開始する。適切な支払いが受信されたと判断すると、コンテンツ配信デバイスは、視聴領域の視聴者のメンバーにマルチメディアコンテンツを配信するための第3のモードに切り替える。コンテンツ配信装置は、コンテンツが視聴者のメンバーに配信されている間に、第3のモードと同時に第1のモードでコンテンツ配信デバイスを定期的に操作する。コンテンツ配信装置が第1及び第3のモードで同時に動作している場合には、視聴領域内の視聴者数の変化が生じたか否かが判定され、そうであれば、コンテンツ配信装置は、追加の支払いが必要である（例えば、新しい視聴者数が視聴エリアにある場合）。追加の支払いが必要な場合、コンテンツ配信デバイスは、一時的にマルチメディアコンテンツの配信を一時停止し、追加の支払いが受信されるまで第2のモードに切り替える。オーディエンスメンバーの数の適切な支払いまたは調整の際に、コンテンツ配信デバイスは、追加の支払いが受信されたことを確認すると、第3のモードに戻る。例えば、米国特許第8,893,163号明細書を参照されたい。この開示内容は、参照によりその全体が本明細書に組み込まれる。
【０００４】
私のシステムはオンデマンドのバーチャルシネマとして動作しますが、通常の映画館のように毎週新しい映画を追加することはできますが、コンテンツ制作者、劇場の企業、出展者などのエンターテインメント業界は、最初の実行コンテンツが不正に共有されたり記録されたりしないようにするための追加の保護手段を設けることなく顧客に提供することができます。
【先行技術文献】
【特許文献】
【０００５】
【特許文献１】米国特許第８，８９３，１６３号明細書
【発明の概要】
【課題を解決するための手段】
【０００６】
（発明の概要）
したがって、本発明の目的は、映画館または劇場、ライブコンサートおよびスポーツイベント、ミュージカル、オペラ、ブロードウェイショーでのみ利用可能な初回の映画を視聴する機会を消費者に提供するための改良されたシステム、方法および装置を提供することである。、コメディショー、およびセミナーを、ディスプレイデバイスと高速インターネット接続を備えた任意の場所で、スマートフォンやタブレットなどのモバイルデバイスを使用して快適にご利用いただけます。最初の実行コンテンツが許可なしに共有または記録されるのを防ぐための保護手段。
【０００７】
本発明の別の目的は、映画館や劇場でのみ利用可能な初回映画のような初回コンテンツをユーザが見ることを可能にするための単位時間当たりの1人あたりの視聴単価システムを提供することである。 ブロードキャストショー、コメディショー、セミナー、および非シアターの場所（例えば、自宅）でのアラカルトプレミアムTV番組のような他のコンテンツを含む、様々なコンテンツを含む。
【０００８】
本発明のさらなる目的は、コンテンツが適切な数の視聴者に配信され、ユーザが適切な視聴者数に対して適切な支払いを提供することを保証する、強化された認証および検証方式を備えた改良されたシステム、方法および装置を提供することである。
【０００９】
本発明のさらに別の目的は、コントローラがコンテンツがストリーミングされているディスプレイユニット（例えばスマートTV）と同じ部屋にあることを確認するためのアップグレードされたセキュリティ機能を含む改良されたシステム、方法および装置を提供することである。
【００１０】
本発明の1つの態様は、1つまたは複数の光応答型カメラと熱カメラとを組み合わせて、視聴エリア内の視聴者の1人または複数のメンバーの存在を検出するコントローラを提供する。
【００１１】
本発明の別の態様は、コントローラが視聴領域内の視聴者の追加のメンバーを感知した後、一時的にマルチメディアコンテンツの配信を一時停止する前に遅延を開始し、追加の支払い要求に切り替える待機モードで動作するコントローラを提供する。モード。
【００１２】
本発明のさらに別の態様は、赤外線光源がIR光を観客のメンバーによって占有された視聴領域に放出して、1つまたは複数のカメラなどの外部記録装置がいずれかの表示装置を指し示すかどうかを検出するコントローラ装置を提供する。ストリーミング映画を海賊版しようとしていることを示唆している。
【００１３】
好ましい実施形態では、コントローラは、ディスプレイユニットのスクリーンをルックバックし、コントローラがコンテンツが存在するディスプレイユニットと同じ部屋にあることを確認するために、スクリーンからピクセルデータの特殊コードを読み取る逆カメラを含むストリーミングされる。
【００１４】
別の実施形態では、コントローラは、オーディオ・ロガー・システムを利用して、コントローラがディスプレイ・ユニット、例えばスマート・テレビ、タブレット、スマートフォン、または他の家庭内娯楽装置のような同じ視聴領域に常にあることを保証する。
【００１５】
さらなる実施形態では、サーバ側透かし入れシステムは、コントローラが常にスマートTV、タブレットなどの表示ユニットと同じ表示領域にあることを保証するために、ストリーミングされたコンテンツに会社ロゴなどのデジタルシステム透かしを挿入するスマートフォン、または他の家庭内エンターテインメントデバイスである。
【００１６】
さらに別の実施形態では、サーバ側透かし入れシステムは、コントローラが常に同じ視聴領域内にあることを確認するだけでなく、会員のユーザIDおよびインターネットパスワード（IP）などのデジタル個人用透かしをストリーミングされたコンテンツに挿入するスマートTV、タブレット、またはスマートフォンなどの家庭用娯楽機器などの表示装置として、コンテンツが不正にコピーまたは盗まれた場合に、そのコンテンツを違法コピーしたユーザーにトレースすることができる識別情報を提供するコンテンツ。
【００１７】
本開示の他の態様および利点は、以下に参照される図面を検討し、以下の詳細な説明を読むことによって、当業者には明らかであろう。
【図面の簡単な説明】
【００１８】
本発明の上述の及び他の特徴及びそれらを達成する方法は、添付の特許請求の範囲に記載された本発明の実施形態の以下の説明を参照することにより、より明白になり、本発明自体がよりよく理解されるであろう。様々な図における同様の参照番号は、同様の構成要素および要素を示すために利用され、
【００１９】
【図１】図1は、第1ランおよび他のコンテンツをコンシューマに配信するシステムのコンポーネントを示す例示的なブロック図を示す。
【００２０】
【図２】図2は、本発明の一態様による制御装置の上から見た斜視図である。
【００２１】
【図３】図3は、図2のコントローラの下から見た斜視図である。 図1は、逆カメラアパーチャと、コントローラをディスプレイユニットに取り付けるための取り付け手段とを示す。
【００２２】
【図４】図4は、図1のコントローラの正面図である。 図1は、HDおよび熱カメラを示す。
【００２３】
【図５】図5は、図4のコントローラの背面図である。 図1は、逆方向のカメラアパーチャを示す。
【００２４】
【図６】図6は、図5のコントローラの平面図である。 図1は、開位置にあるカメラモジュールの前面カバーフラップを示す。
【００２５】
【図７】図7は、図4のコントローラの平面図の底面図である。 図1は、逆方向のカメラアパーチャを示す。
【００２６】
【図８】図8は、図7のコントローラの正面図である。 図1は、開位置にあるカメラモジュールの前面カバーフラップを示す。
【００２７】
【図９】図9は、図8のコントローラの正面図の左側面図である。 図1は、カメラモジュールが水平軸の周りに上方に回転され、ディスプレイユニットスクリーンのリバースカメラがフォーカスされる部分を示す。
【００２８】
【図１０】図10は、図7のコントローラの上面断面図である。 図1は、垂直軸の周りで右に回転されたカメラモジュールと、閉位置にあるカメラモジュールのフロントカバーフラップを示す。
【００２９】
【図１１】図11は、図11のコントローラの断面図である。 図1は、リバースカメラ、リバースカメラアパーチャ、サーボモータ、マイクロフォン、および電子制御構成要素を示す。
【００３０】
【図１２】図12は、図9のコントローラの右側および上方からの斜視図である。 表示部の上端に取り付けられている。
【００３１】
【図１３】図13は、ディスプレイユニットに取り付けられたコントローラを示す例示的な環境と、環境に入るだけの複数の聴衆のメンバーを図式的に示す。
【００３２】
【図１４】図14は、本発明によって生成された1人あたりのチケット価格情報を示す表示ユニットのスクリーンショットを図式的に示す。
【００３３】
【図１５】図15は、本発明によって生成された認証チケットコードおよびチケット購入情報の数を示す表示ユニットのスクリーンショットを図式的に示す。
【００３４】
【図１６】図16は、本発明によって生成された視聴領域情報内に現在認可チケットコード、購入されたチケットの数、および視聴者の数を示す表示ユニットのスクリーンショットを図式的に示す。
【発明を実施するための形態】
【００３５】
（発明の詳細な説明）
本明細書に記載の技術は、コンテンツが適切な数の視聴者にのみ配信され、ユーザが適切なコンテンツを提供することを保証するために、強化された認証および検証方式を用いて第1ランマルチメディアコンテンツを視聴者のメンバーに配信するための改良されたシステム、 適切な数の視聴者に対する支払い、および強化された認証および検証スキームを提供するコントローラデバイスは、ストリーミングされたコンテンツが表示されているディスプレイデバイスと常に同じ場所、視聴エリア、または部屋に存在する。
【００３６】
図1は、本発明に従って構成されたシステムの一例を図式的に示す。エンドユーザまたは消費者の家または他の場所にあるスマートTV200などのコンテンツ提示/表示ユニットは、その場所の聴衆検出コントローラ100によって制御される。コンテンツ提示/表示ユニット200は、スマートTVに要求される「スマート」機能を提供するために、セットトップボックスまたはそれに接続された他のユニットを備えた単純なテレビであってもよい。スマートTV200は、ケーブル、料理、またはインターネット加入サービス、放送局などのネットワーク400を介してサービスプロバイダ350からローカルモデム250を介してコンテンツを受信するように構成される。本発明のシステムサーバ300は、そのコンテンツは、エンドユーザによって選択されると、ネットワーク400を介してモデム250およびスマートTVに送信される。視聴検知コントローラ100は、システムサーバ300から受信したコンテンツの表示を、少なくとも支払いが受信されたかどうか本明細書に記載された方法でスマートTV200の視聴者500に存在する視聴者数を示す。
【００３７】
図2を参照する。図2、図3及び図12には、表示ユニット200（図12参照）の上縁又は上縁に固定されるように構成された検出コントローラ100が示されている。ディスプレイユニット200は、スマートTV、タブレット、スマートフォン、またはPlayStation（登録商標）、Xbox（登録商標）、Nintendo Wii（登録商標）などのインタラクティブな家庭内娯楽装置、または高速インターネットにアクセスする他の電子機器または機能的に類似のネットワーク媒体を含み、本明細書に記載された技術を達成するためにコントローラ100によって適切なシステムソフトウェアがそのオペレーティングシステムにインストールされてもよい。さらに、テレビ自体はスマートTVである必要はなく、TIVOやスマートケーブルボックスなどの一般的に提供されるセットトップボックス（STB）機器に接続することで「スマート」と考えることができますコントローラ100は、表示装置200のオペレーティングシステム上に適切なシステムソフトウェアをダウンロードしてインストールし、コントローラはWi-FiまたはLANとの直接接続を介してインターネットにアクセスして通信する。コントローラ100は、インターネットに接続すると、システム・サーバ300および表示装置200と通信して、ユーザ・ネットワーク・アクセス情報を取得する。コントローラは、ユーザネットワークアクセス情報を得るために、ブルートゥース（登録商標）または他の適切な近距離無線技術を介してディスプレイデバイスと通信する。
【００３８】
コントローラ100は、図1及び図2に示すように、赤外線（IR）光源109を収容する完全に密閉された自立型の電子装置であり、約150個を捕捉するように構成された複数のビデオおよび静止画像捕捉システム104A、104B、105コントローラ100がディスプレイユニット200に同期されている場所、視野領域、または部屋の360°ビデオ、複数の静止画像、またはその両方を表示する。コントローラはさらに、表示装置200と、IR光源および複数の映像および静止画像撮影システムを収容するカメラモジュールを回転させるサーボモータ116,117と、電子制御部品108と、マイクロフォン107とを含む。コントローラ100は、画像およびビデオキャプチャHDカメラ、3Dカメラ、IR光源、および他の適切な装置などのシステム104A、104B、105（個別にまたは一緒に）を用いて、典型的には150°の水平視野角で位置、視野または部屋を走査する360°まで可能性があり、場所、鑑賞領域、または部屋の複数の画像および/またはビデオを捕捉して、場所、鑑賞領域または部屋の人数を検出する。
【００３９】
ここで、図1~図4を参照して説明する。図2、図4及び図11に示すように、コントローラ100は、ベース101と、カメラモジュール103とを備えている。コントローラの底面から下方に延びる取付手段50は、コントローラをディスプレイユニット200の上端にしっかりと取り付けるように構成される図9参照）。取り付け手段を図1に示す。固定された間隔をおいて配置された円形ペグである。しかし、様々な深さおよび厚さのディスプレイユニットを収容するように再構成可能な調節可能な取り付け機構を含む、任意の他の適切な取り付け手段を使用することができる。モジュール103は、立体視、すなわちシステム視野を規定する立体撮像を提供するのに十分な距離だけ離間した第1のHDカメラ104Aおよび第2のHDカメラ104Bと、HDカメラの間に配置された熱カメラ105とを収容する。 HDカメラ104A、104Bおよびサーマルカメラ105は、図2に示すように、カメラモジュール103の前面106から前方に延在している。 HDカメラ104A、104Bは、ストリーミングコンテンツを表示するディスプレイユニットが位置する場所、視聴領域、または部屋の鮮明なビデオまたは静止画像をキャプチャするために使用される。熱カメラ105は、表示部200と同じ部屋、場所、または場所にいる観客の体熱を検出するために使用される.HDカメラおよび熱カメラは、約50°〜60°の視野角を有することが好ましい。コントローラは、コントローラ100のオペレーティングシステムにインストールされたソフトウェアの制御下で、キャプチャされた静止画像および/またはビデオを分析して、視聴者の人数を検出する。分析が完了すると、コントローラは、画像および/またはビデオを直ちに削除して、消費者のセキュリティおよび/またはプライバシーを保証する。
【００４０】
さらに、垂直に延びる中空の支柱102の一端がベース101の上壁面113に固定されている（図4）。支持ポストは、上壁面から上方に延び、内部空間115を画定する壁を有する（図11参照）。カメラモジュール103は、支持柱102の他端に固定され、ベース101の上壁面（図8）上の支柱に支持されている。モジュール103および支持ポスト102の他端は、モジュールが支持ポストの他端に垂直軸線および水平軸線を中心にして旋回可能となるように（例えば、ユニバーサルジョイントによって接合されるように）構成されている（図9および図10参照）。コントローラ100は、カメラモジュールを水平軸（図9）の周りで自動的に回転させるための第1のサーボモータ116と、カメラモジュールを垂直軸（図10）の周りで自動的に回転させるサーボモータ117とを含む。図2に示すように、図11に示すように、カメラモジュールを上下にパンするためのサーボモータ116がポスト102内に収容され、カメラモジュールを左右にパンするためのサーボモータ117がベース101内に収容される。ピボットマウントモジュール103は、 HDカメラ104A、104B及び熱カメラ105が、壁、壁及び天井から床までの場所、鑑賞領域又は部屋の映像及び/又は静止画像を取り込むことを可能にする。本発明のコントローラ装置100で使用可能な適切な市販のサーボモータは、LynxMotion社製のLynx「Pan/ Tilt」マイクロサーボモータである。
【００４１】
マイクロフォン107および電子制御構成要素108は、コントローラ100の基部101（図11参照）に取り付けられ、フロントカバーフラップ120は、モジュール103の前縁に枢動可能に取り付けられる（図2および図5参照）。 フラップ120は、開位置（図8）と閉位置（図9）との間で回転可能である。 閉じた位置では、フラップはHDカメラ104A、104Bおよび熱カメラ105を覆い、消費者の安全性および/またはプライバシーをさらに確実にする。マイクロホン107（および本明細書に記載される他のシステム）は、コントローラデバイス100が、マルチメディアコンテンツがシステムとの間でストリーミングされているディスプレイデバイス200と常に同じ場所、視聴エリアまたは部屋にあることを保証するために使用される サーバ300に送信される。
【００４２】
IR照明109のクラスタは、周囲の照明条件が最小レベル（例えば、以下のレベル）を下回ったときに、コントローラ100が位置する場所、観察領域、または部屋を照明するために、HDカメラ104A、104Bの各レンズ110を取り囲む。 HDカメラは鮮明な画像および/またはビデオをキャプチャすることができない）。 IDライトは、LED赤外線電球または他の適切な赤外線電球であってもよい。周囲光センサ111は、IR光の各クラスタに統合され、コントローラ100が位置する場所、視野領域、または部屋内の周囲照明条件を検出する。 IR光109および光センサ111は、HDカメラ104A、104Bの内蔵部品であってもよく、またはカメラシステムに配線された別個の構成要素であってもよい。さらに、HDカメラには、周辺光センサ111が周囲照明条件が最小レベル以下に低下したことを検出すると、HDカメラのレンズを横切って自動的に延びるIRフィルタ（図示せず）を設けることができる。赤外線フィルタは、赤外光を透過させ、IR光が活性化されて不自然に見えるビデオおよび/または静止画像を防止する際に可視および紫外光を遮断するために使用される。本発明のコントローラ装置に使用するのに適した市販のHDカメラは、ELP監視システム - モデル番号ELP-USBFHD01M-IRによって製造された2.0メガピクセルのUSBカメラである。
【００４３】
HDカメラ104A、104Bは、顔認識ソフトウェアを用いて聴衆500（図14）の人数を検出する。 しかし、顔認識技術には欠点があり、顔で大きな肖像画や彫像を検出することがあります。したがって、聴衆の人数を検出するために顔認識技術のみを使用することは、幾分信頼性がない可能性がある。 したがって、本発明の一実施形態では、コントローラ100は、サーマルカメラ105を用いて、人体の骨格形状の体熱パターンを検出する。体の熱パターンは、検出された骨格オブジェクトが像や肖像画とは異なり熱を発生させるようにします。 言い換えれば、検出された骨格物体の体の熱パターンは、検出された顔の「生命の証明」を提供する。本発明のコントローラ装置で使用するのに適した市販の熱カメラは、FLIR（登録商標）Systems社製のLepton Longwave Infrared（LWIR）カメラモジュールである。
【００４４】
さらに、2つのHDカメラ104A、104Bを立体視（またはシステム視野を画定する立体視画像化）のために使用することは、表示装置が表示する場所、視野領域または部屋の鮮明なビデオおよび/または静止画像を取得する ストリーミングコンテンツが存在する場合、コントローラ100からの人の距離をさらに検出する。認識された顔のサイズと組み合わせたこの距離の検出は、聴衆500が幼児/幼児/子供であるかどうかを判定するために使用される、大人とは対照的に。 この差別化は、マルチメディアコンテンツへのアクセスがより低い料金を有する可能性があり、および/または成人の視聴者のためのより高い料金およびより大きなコンテンツの選択と比較して、子供の視聴者のために制限され得る。
【００４５】
HDカメラおよび熱カメラの使用は、場所、視聴エリア、または部屋の視聴者数を検出するのに適したカメラであると言われているが、他の適切なカメラを個別にまたは一緒に使用して、聴衆のメンバーを検出する目的で、静止画像または静止画像を含むことができる。例えば、RGBカメラを使用して、コントローラ100が位置する場所、視野領域、または部屋の非常に正確なカラー画像を得ることができる。同様に、例えば、飛行時間、構造化光、ステレオなどの任意の適切な技術を介して深度値を含むことができる深さ画像を含む深さ情報を有するビデオおよび/または静止画像をキャプチャするように構成された3Dカメラまたは他の深度検出カメラ画像等を用いることができる。さらに、設計基準に応じて、2つより多いまたは少ないHDカメラまたは他の適切なカメラを使用して、場所、鑑賞エリア、または部屋のビデオおよび/または静止画像をキャプチャすることができる。モバイルアプリケーション（例えば、スマートフォンおよび/またはタブレット）では、異なるコントローラ、すなわちモバイルコンシューマ向けに特別に設計されたコントローラが使用される。具体的には、モバイルコントローラは、スマートフォンまたはテーブルアタッチメントであり、スマートフォン/タブレットの内部カメラと共に内蔵の熱カメラを使用して、視聴者を検出する。
【００４６】
図2を参照する。図11に示すように、コントローラ100には、さらに、ディスプレイユニット200の画面で前後に見えるように向けられた逆カメラ112が設けられている。具体的には、コントローラの基部101は、前方延在部114と、本拠。前部延長部は、上壁121と、底壁122と、内部空間を画定する側壁123とを有する。少なくとも底壁122は、ベースの下壁面115から約45°の角度で下方に延びている。下方に延びる底壁122は、そこを通って延びる開口125を含む（図3、図5、図7および図11参照）。図2に示すように、逆カメラ112は、図11に示すように、ベースの前部延長部114内に収容され、ディスプレイ装置のスクリーンから画像および/またはビデオを取り込むために、開口部125を介してディスプレイユニット200のスクリーンを直接見るように構成される。さらに、逆カメラ112は、システムサーバ300によってストリーミングされるコンテンツの一部に挿入された透かし入りコードを取り込むようにさらに構成されている。例えば、透かし入りコードは、逆カメラによって取り込まれたコンテンツの小さな部分図2に矢印で示すように、逆カメラによる透かし入りコードの捕捉は、コントローラ100がディスプレイユニット200と同じ部屋にいること、さらにコントローラがディスプレイユニットに正しく取り付けられていることを確認するための安全対策を提供する。任意の一般的な市販のHDミニピンホールUSBカメラは、本発明のコントローラ装置におけるリバースカメラとしての使用に適している。透かし技術は、当該技術分野において周知であり、その例は、米国特許第5,809,139号、米国特許第5,915,027号、米国特許第6,809,792号、および米国特許第7,779,271号に見出される。これらの特許文献における開示は、その全体が参照により本明細書に組み込まれる。
【００４７】
透かし入りコードは、システムサーバ300によってストリーミングコンテンツのコンテンツピクセルに埋め込まれる。コントローラ100は、コンテンツピクセル（ビデオまたは画像）を分析して透かし入りコードをキャプチャする。透かし入りコードは、XCINEX（商標）などの会社ロゴ、または任意の他の適切な単語、ロゴ、画像、数字、またはそれらの組み合わせであってもよい。コントローラ100は、キャプチャされたウォーターマークを使用して、ストリーミングビデオが表示されているディスプレイユニット200と同じ部屋、視聴エリア、または場所にいることを確認する。透かし入れ技術を使用することにより、コントローラ100が、表示されている表示ユニット200と同じ部屋、視野、または場所にあることを確実にすることができる。コントローラ100は、メモリ（例えば、リードオンリメモリ（ROM）、ランダムアクセスメモリ（RAM）、磁気ディスク記憶媒体デバイス、光記憶媒体デバイス、フラッシュメモリデバイス、電気的なものなどを含むプロセッサ（例えば、マイクロプロセッサまたはマイクロコントローラ） 1つの実施形態では、コントローラ100は、信号印刷を伴う認証プログラム（すなわち、ソフトウェア）を利用することができ、この認証プログラム（すなわち、ソフトウェア）は、表示装置200の画像および/またはビデオを分析して透かし入りコードを検出するためのプログラム（すなわち、ソフトウェア）を含む。
【００４８】
さらに、システム側サーバー300には、表示装置200に表示されたストリーミングされたコンテンツに、加入者またはエンドユーザーのユーザー名およびIPアドレスを組み込んだ透かしをデジタルで挿入するためのサーバー側透かし入れシステムをインストールすることができる。この電子透かしは、人間の目。 HDカメラ104A、104Bは、約150°〜360°の位置、視野、または部屋の画像またはビデオを捕捉しながら、表示ユニット200のスクリーンショットをさらに捕捉する。コントローラ100は、スクリーンショットから、ユーザ名ユーザのIPアドレスをコンテンツから取得する。この代替透かし入れシステムは、コントローラが、コンテンツがシステムサーバ300との間でストリーミングされるディスプレイユニット200と同じ部屋に常にあることをさらに保証するだけでなく、より重要なことに、コンテンツが不正にコピーまたは盗まれた場合にユーザに通知する。この識別情報は、ストリーミングされたコンテンツを海賊版したユーザーを識別するために役立つだけでなく、許可なくストリーミングされたコンテンツの録画、コピー、および共有を他人に断るのに役立ちます。さらに、IPアドレスやユーザー名などの戦略的キーを使用して、システムに組み込まれた他の抑止手段を迂回して映画を海賊することができる人を検出すると、盗んだ場合に映画を盗んだ人を逮捕する便利なツールが提供されます映画はオンラインで共有されます。
【００４９】
コントローラ100は、さらに、コントローラがシステム・サーバ300との間でストリーミングされているディスプレイ・ユニット200と同じ部屋に常にあることを確認するために、セキュリティ・セカンダリ・ラインとしてオーディオ・ロガー・システムを利用する。具体的には、オーディエンススキャンを開始するコントローラ100の数秒で、コントローラは、システムサーバ300からストリーミングされているコンテンツから正確なオーディオセクションをダウンロードする。テレビアプリケーションの場合、コントローラのマイクロフォン107を使用して、システムサーバ300との間でコンテンツのストリーミングが行われているTV（表示部200）に出力される。その後、制御部は、システムとの間でストリーミングされているTVのスピーカから放音された音声と、サーバ300にダウンロードされ、コントローラ100がダウンロードしたオーディオファイルである。 2つのファイルが一致すると、これは、コントローラ100がシステムサーバ300との間でストリーミングされているTV（ディスプレイユニット）と同じ部屋にあることをさらに確認する。本発明の一実施形態では、コントローラ100音声ロガーシステムを有する透かしシステムを利用して、マイクロホンによって捕捉されたオーディオファイルを、同じ時間間隔でコンテンツのサウンドファイルと分析して比較することができる。コンテンツの特定の時間間隔でマイクロホンによって捕捉された音声が全く同じ時間間隔でコンテンツの音声ファイルデータと一致する場合、コントローラ100は、それが同じ場所、視聴領域、または部屋にあることを保証することができるストリーミングされたコンテンツを表示する表示部200として表示される。
【００５０】
一実施形態では、本発明のシステムは、コンテンツストリーミング中に位置、視聴領域、または部屋に存在し得る任意の外部記録装置をコントローラ100が検出することを可能にする。具体的には、視聴者部材500の数を決定するための検出サイクル中、コントローラ100は、特定の異なるパターンでIR光を放射する。コントローラがこの別個の光パターンを放射している間に、HDカメラ104A、104Bは、位置、視聴領域、または部屋の映像および/または複数の映像を撮影している。表示装置200に指し示された外部カメラがある場合、IR光は外部カメラのレンズから反射し、光の輝きを捕捉した画像またはビデオに存在させる。コントローラは、IR光の反射を検出するために画像またはビデオを分析する。 1つまたは複数の反射が検出された場合、コントローラ100は、記録デバイス、例えばカメラが表示ユニットに向けられていることを確認する。システムは、ビデオまたは画像内に取り込まれた反射（輝き）がカメラレンズまたは他の眼鏡からの反射であるかどうかを判断する。カメラレンズからの反射であることが確認された場合には、表示部200にストリーミングされているコンテンツを一時停止し、検出された外部記録装置をユーザに知らせる表示部の画面に速やかにメッセージを表示する（カメラ）。ストリーミングコンテンツは、ユーザが表示装置に向けられた外部記録装置（すなわち、カメラ）の方向を取り除くかまたは変更するまで、無期限に一時停止したままである。
【００５１】
別の実施形態では、コントローラ100は、ミラーまたはガラスカバーがカメラモジュール103の前に配置されているかどうかをさらに検出するために、ディスプレイユニット200を指し示すカメラを検出するために使用されるのと同じ技術を利用する。これは、なぜなら、HDカメラはミラーを通して見ることができず、熱カメラはミラーまたはガラスを通して見ることができないからである。したがって、カメラモジュールの前にミラーおよびガラスを配置すると、HDカメラ104A、104Bおよび熱カメラ105は、聴衆500のメンバーの数を適切に検出することができなくなる。同様に、HDカメラは、場所、視聴エリア、または部屋の外部カメラを検出することができます。したがって、コントローラ100は、ミラー内でそれ自体を検出するとともに、カメラモジュールの前に配置されたガラスカバーを検出するように構成される。具体的には、IR光源109は、HDカメラが位置、鑑賞領域、または部屋の画像を撮影しているときに、特定の異なるパターンでIR光を放射する。 IR光の特定の別個のパターンは、観察領域内の外部カメラを検出するために使用されるパターンと同じパターンであってもよく、異なるパターンであってもよい。 HDカメラによって撮影された画像は、カメラモジュール103の前にミラーが置かれているかどうか、またはガラスカバーが上述の人体熱検出プロセスを改ざんするために使用されているかどうかを検出するためにソフトウェアによって分析される。コントローラ100がいずれかのタイプのタンパー機構を検出すると、コントローラはコンテンツが表示ユニット200に流されるのを直ちに停止し、不正操作機構の検出に関してユーザにプロンプトメッセージを送信する。
【００５２】
一実施形態では、消費者に、自宅の快適さまたはディスプレイユニット（例えば、スマートテレビ（smart television））を備えた場所で、第1ランマルチメディアコンテンツまたはラ - カートプレミアムTV番組を視聴する機会を消費者に提供するための改良されたシステムおよび装置）および高速インターネット接続は、単位時間当たりの1人当たりのプレイのペイ・パー・プレイを利用する。例えば、システムソフトウェアがディスプレイユニット（例えば、スマートTV）にダウンロードされ、ユーザが視聴するコンテンツを選択すると、ユーザはコントローラ100によって支払いページに誘導され、ここでメッセージは、例えば、観客の1人1人につき1時間あたり0.35ドルの選択されたコンテンツの1人あたりの時間。したがって、選択されたコンテンツを2人しか見ることができない場合、総費用は1時間あたり70.70ドルになります。本発明のペイ・パー・プレイ・パー・パー・タイム・スキームを実施するために、コントローラ100は、ペイ・パー・ビュー・プログラムが受信されている時間を測定するタイマ装置を含む。タイマ装置は、米国特許第8,893,163号に開示されている支払いシステムに組み込まれており、その開示内容は、その全体が参照により本明細書に組み込まれる。タイマー装置は、Hayashiらの米国特許第4,759,060号に開示されているタイマー装置と同様であってもよく、この開示内容は参照によりその全体が本明細書に組み込まれる。
【００５３】
コントローラ100は、インターネットへの通信および接続のためのソフトウェアを実行する車載コンピュータシステムを有する。車載コンピュータシステムの構成要素は、コントローラのベース101内に収容されたマザーボード上に組み込まれる。本発明のコントローラに使用するのに適した市販のマザーボードは、Cubieboard-Model Cubietboard A7 Cubietruckである。さらに、コンピュータシステムは、Java（登録商標）、C、C ++、Android、または他の適切なオペレーティングシステムなどのオペレーティングシステムを有する。単一または複数のプロセッサ;実行可能なコマンドおよびデータを格納するメモリ;その位置を確認するための全地球測位システム（GPS）と、ユーザーがコントローラーの移動や傾動などコントローラーを操作できないようにするための傾斜センサー。壁、テーブル、ソファ、エンクロージャー、いたずら装置などのオブジェクトからコントローラーまでの距離を確認する近接センサー。一実施形態では、コントローラは、画像を内部処理および解析するための1つまたは複数のプロセッサを含む処理ユニットと、内部でさまざまな静止画像または動画ファイルを格納するように構成されたメモリユニットとを含む画像処理エンジンを内蔵する。コントローラ。
【００５４】
本発明の一実施形態では、コントローラ100は、画像処理エンジンメモリユニットに格納されたスケルトン静止画像およびビデオ/アルゴリズムの膨大なデータライブラリを使用して、ビデオ、および/または静止画キャプチャシステムによってキャプチャされた場所、場所、視聴エリア、または部屋を表します。視聴検知エンジンは、捕捉された画像において検出された視聴者の人のX、Y座標を、ビデオまたは静止画像捕捉システムによって比較する。例えば、赤外線フィルタの有無にかかわらず、HDカメラ104A、104Bによって取得された静止画像またはビデオ上の検出された顔のX、Y座標が分析され、検出された骨格体熱パターンのX、Y座標と比較される サーマルカメラ105を視聴者検知エンジンによって制御する。
【００５５】
一実施形態では、コントローラ100は、テーブル、椅子、乳母車、ソファー、ソファ、植物、およびペットなどの、目的の静止画像およびビデオ/アルゴリズムの膨大なデータライブラリを使用するパターン認識エンジンを含む 処理エンジン記憶装置を使用して、ビデオおよび/または静止画像キャプチャシステムによってキャプチャされた表示装置200が位置する場所、視野領域または部屋のビデオまたは静止画像を分析する。
【００５６】
別の実施形態では、コントローラ100は、複数の構成されたシステム、例えば、Wi-Fiを使用する無線インターネット機能、内蔵ブルートゥース（登録商標）または同様の短距離無線技術機能を利用する無線接続機能を有し、ディスプレイユニットのオペレーティングシステムにインストールされたプラットフォーム通信ソフトウェアからのネットワークアクセス情報、サーバおよびストレージプラットフォームと通信するための独自の安全なインターネット接続を確保するSIMカード機能を備えたGMS、および個々にまたは組み合わせて使用可能な他の適切な無線接続能力。 さらに、本発明の一実施形態は、インターネットにアクセスするためのLANワイヤ接続を使用し、無線インターネットアクセスのないユーザにとってより適している。すべてのシステム通信は暗号化されたデータ転送で行われます。
【００５７】
コントローラ100は、移動、位置、振動、IR信号などを検出するための複数の送信機、受信機、およびセンサを含むことができる。一実施形態では、コントローラは、通信のためにIR信号を送信および受信するIR送信機および受信機、 適切な目的。 別の実施形態では、コントローラ100は、移動および任意の他の適切な動作を検出する加速度計と、磁界ならびにその強度および方向を検出および測定する磁力計とを有する。磁力計の測定値は、コントローラによって、外部カメラなどのコントローラと同じ場所にある他の電子デバイスを検出するためにコントローラによって使用されます。 さらなる実施形態では、コントローラは、コントローラが位置する同じ場所、視聴領域、または部屋からオーディオ信号/データを取り込むためのマイクロフォンを有する。
【００５８】
一実施形態では、コントローラ100は、安全なサーバおよびストレージプラットフォームに接続する。具体的には、コントローラは、セキュアサーバおよびストレージプラットフォームに接続するために、AmazonおよびMicrosoft（登録商標）のクラウドサーバならびに他のプライベートクラウドサーバなどのクラウドサーバを利用することができる。サーバおよびストレージプラットフォームは、暗号鍵を組織の詳細にデジタルでバインドするSSL証明書データファイルなどの256ビット暗号化標準を利用して保護することができる。 Webサーバーにインストールすると、南京錠とhttpsプロトコル（ポート443経由）がアクティブになり、Webサーバーからブラウザへの安全な接続が可能になります。さらに、サーバおよびストレージプラットフォームは、コンピュータシステムまたはネットワークに対する外部および内部の脅威からの攻撃を刺激して、コンピュータおよびネットワークのセキュリティを評価するための継続的な侵入ストレステスト、たとえば「ペンテスト」を受ける可能性がありますサーバーとストレージプラットフォームの完全性。サーバおよびストレージ・プラットフォームから表示装置のオペレーティング・システムにインストールされたプラットフォーム通信ソフトウェアにストリーミングされるすべてのデータが監視される。たとえば、サイズが2ギガバイトのコンテンツがストリーミングされているが、コントローラーが3ギガバイトなど転送されるデータのサイズが大きいと検出すると、システムに赤いフラグが即座に表示され、技術者は追加の1ギガバイトのデータが転送されています。サーバとストレージプラットフォーム、コントローラ、およびソフトウェアプラットフォームとの間のすべての通信（すなわち、送受信されるデータ）は、例えば、256ビット暗号化を使用して暗号化される。
【００５９】
一実施形態では、サーバおよびストレージプラットフォームは、サービスおよびトラブルシューティングの目的で技術者にサーバおよびストレージプラットフォームへのリモートアクセスを提供するための「コントロールパネル」（「サーブおよびコントロールパネル」と呼ばれる）を有する。また、アップロードされたコンテンツに関する分析および人口統計データへのアクセスを可能にする、コンテンツプロバイダのための「コントロールパネル」（「コンテンツプロバイダインタフェース」と呼ばれる）もあり得る。
【００６０】
別の実施形態では、サーバおよびストレージプラットフォームは、サーバ側透かし入れシステムを利用して、ユーザが許可なしにコンテンツを記録し、コピーし、共有する可能性を排除する。コンテンツがソフトウェアプラットフォームがインストールされているディスプレイユニットにストリーミングされるとき、サイドサーブ電子透かしシステムは、ユーザのユーザ名およびIPアドレスを上述のようにストリーミングされたコンテンツに電子透かしで透かし入れる。 前述したように、電子透かしは人間の目には見えないが、外部のカメラでコンテンツをコピーして許可なく共有することを決定した場合、システムから電子透かしを抽出することによってユーザを検出することができる。
【００６１】
サーマルカメラ105を使用して視聴者の人数を検出するには、以下のステップが実行される。 最初に、150°〜360°のビデオおよび/または場所、視聴領域、または部屋の静止画像をキャプチャします。次に、画像からデジタルデータを抽出し、画像内のオブジェクトを分離する。 その後、（例えば、米国特許第7,027,621号に開示されている方法で）白色の高温および黒色の冷たいパラメータを利用して物体の縁を見つけ、白色体の熱パターンのX、Y座標を計算する。 次に、統計的なテスト、およびビデオおよび/または画像内の2Dおよび3Dの人間の頭部/身体位置データを使用して、人間の頭部/身体データを見つけて分析する。 最後に、重複した位置を削除し、ビデオおよび/または画像内の人間の視聴者の数を取得する。
【００６２】
HDカメラ104A、104BをIR光源109（但し、IRフィルタなし）と共に使用して、視聴者の人数を検出するために、以下のステップが実行される。まず、150°〜360°のビデオおよび/または場所、鑑賞領域、または部屋の画像をキャプチャします。顔検出、肌色、姿勢認識ソフトウェアを利用して、ビデオや画像の人を検出します。次に、ビデオおよび/または画像内の検出された顔のX、Y座標を計算する。次に、コントローラから検出された顔の距離（Z座標）を計算するためにステレオ視覚を利用する（データは乳児を除外するために重要である）。その後、5歳以上の検出された顔のX、Y座標を熱カメラ画像と比較して、検出された顔が体の熱を放出していることを確認します。比較した後、肖像画、彫像、幼児のような偽の顔を取り除き、場所、鑑賞領域、または部屋の最終的な人数を取得し、聴衆の人数だけをサーバ300に送る。サーバは、最終的な数を購入したチケットの数と比較し、視聴者の数が購入されたチケットの数以下である場合にのみコンテンツをストリーミングし続けます。
【００６３】
また、逆カメラ112を用いて、コントローラが表示部として同じ場所、鑑賞領域、部屋にいるか否かを検出するには、以下のようにする。 まず、サーバ300は、コントローラ100に信号を送り、逆カメラ112が起動され、表示装置200にストリーミングされているコンテンツの静止画像またはビデオをキャプチャする。次に、キャプチャされた画像またはビデオが分析され、透かし入りコードが抽出される。 その後、コントローラ100は、コンテンツがストリーミングされているディスプレイユニットと同じ部屋にいるかどうかを確認し、コンテンツがストリーミングされている場合、サーバにOK信号を送信する。 OK信号を受信すると、サーバ300はコンテンツをストリーミングし続ける。 しかし、サーバ300がOK信号を受信しなかった場合、コンテンツストリームは一時停止され、システムはユーザが問題を修正するのを支援する。
【００６４】
家庭での初回の映画を見るためのフロープロセスの例を以下に詳細に説明する。ユーザ/メンバー/加入者は、コントローラ100を購入し、専有ソフトウェアプログラムをダウンロード/インストールし、コントローラをパワーアップする。コントローラーは自動的に独自のホットスポットを作成します。その後、ユーザは、コンピュータまたはプロセッサ（例えば、ラップトップまたはデスクトップコンピュータ、タブレットまたはスマートフォン）を使用してWi-Fiオプションを選択し、ブラウザを起動することによってホットスポットにアクセスする。ブラウザが起動すると、コントローラのインターネット設定ページが表示され、コントローラにWi-Fiを接続するための設定手順が含まれます。 Wi-Fi接続が確立されると、コントローラのソフトウェアプログラムが起動され、表示装置にインストールされる。次に、ユーザー名とパスワードが作成され、すべての登録要件が完了します。その後、ユーザは、選択されるコンテンツを含むメインメニューに導かれる。メインメニューから、メインメニューを終了したり、無料の映画予告編を視聴したり、より多くの映画コンテンツを閲覧したり、今視聴する映画コンテンツを選択することができます。ユーザが今映画コンテンツを視聴することを選択した場合、コントローラ100が起動され、電子転送またはクレジットカード入力などの電子商取引を介して適切な枚数のチケットが購入され支払われる支払いページにユーザが誘導される。例えば、図7のスクリーンショットに示すように、支払いページは、1人あたりのチケット価格を表示してもよい。図14の画面に示すように、チケット購入情報の数だけでなく、支払いが受信されると、映画を視聴している人の数に対して支払いが適切であるかどうかにかかわらず、コンテンツはディスプレイユニット200に流入し始める。
【００６５】
コンテンツがストリーミングし始めると、コントローラ100は、分析のためにディスプレイユニットからビデオ/画像コンテンツをキャプチャし、複数のスキャンを開始して、コンテンツを視聴する視聴者の数を検出するように起動される。キャプチャされたビデオ/画像コンテンツは、コントローラがコンテンツがストリーミングされているディスプレイユニットと同じ視聴エリアまたは部屋にあることを確認するために、ピクセルデータ内の透かしコードについて分析される。スキャンの競合分析の際に、コントローラは、閲覧領域または部屋で検出された人数をサーバ300に送信し、セキュリティ目的のために捕捉されたデータを完全に削除する。サーバは、購入されたチケットの数を視聴者に検出された人数と比較して、検出されたすべての視聴者に対して適切な支払いが行われたかどうかを判断する。この点で、検出される人の数は、ストリーミングされたコンテンツを視聴するために購入されたチケットの数以下でなければならない。購入したチケットよりも多くの人が部屋で検出された場合、ストリーミングコンテンツは、より多くのチケットが購入されるまで一時停止または停止されます。しかし、コントローラは少なくとも1スキャンサイクル待機してからストリーミングコンテンツを一時停止/停止する前に、誰かが映画を見る以外の目的で一時的に部屋に入った場合に待機します。 2回目以降のスキャン（例えば、2〜15分後に起こる可能性がある）に余分な視聴者が検出された場合、コントローラはストリーミングコンテンツを一時停止/停止し、追加の支払いモードに切り替える表示部200の画面に表示され、コンテンツの視聴を再開するために何をしなければならないかをユーザに知らせる。例えば、1つの選択肢は、図7のスクリーンショットに示されるように、追加の視聴者のための追加のチケットを購入することであり得る。第2の選択肢は、追加の視聴者に部屋を出るように依頼することである。あるいは、後で所望の時間に視聴するためにユーザによって設定されたアカウントにコンテンツを保存することもできる。しかし、後で視聴を再開するためには、観客の数は以前に購入したチケットの数以下でなければならず、そのコンテンツはディスプレイユニットにストリーミングするためにまだ利用可能でなければならない。
【００６６】
ユーザが追加の視聴者のために追加のチケットを購入することを決定した場合、ユーザは、ディスプレイユニットリモコンまたはスマートフォンまたはタブレット用のリモートアプリケーションを使用して追加のチケットを購入することができる。購入が完了すると、中断することなくコンテンツの配信が再開されます。しかしながら、ディスプレイユニットの遠隔制御、ならびにスマートフォンまたはタブレット用の遠隔アプリケーションは、ユーザによって実行される他のすべての対話型機能を制御するために使用されてもよいことを理解されたい。さらに、システムのユーザが、視聴中の映画のコンテンツまたはサウンドトラックを好む場合、ユーザは、最初のコンテンツダウンロード中に、システムのメディアライブラリへのデジタルダウンロードのために映画全体または映画のサウンドトラックを購入することができる。通常、ムービーのサウンドトラックは即時のデジタルダウンロードが可能ですが、ムービーのビデオコンテンツは通常、ムービーが一般に公開されるまでデジタルダウンロードできません。それにもかかわらず、ビデオまたはオーディオのいずれのデジタルコンテンツも、暗号化されたダウンロードを介してユーザに配信されることは、さらに認識されるべきである。ユーザーは任意の場所から任意のデバイスを使用してメディアライブラリからサウンドトラックにアクセスできますが、メディアライブラリを操作するにはすべてのデバイスにシステムソフトウェアをダウンロードしてインストールする必要があります。
【００６７】
ユーザー/メンバーは、自分のアカウントの下に子アカウントを作成することができます。 ユーザー/メンバープロファイルの下で、ユーザーは、子アカウントの作成オプションを選択し、子供の特定のパスワード、例えば子の名前または文字および/または数字のランダムなシーケンスを作成する。 さらに、メンバーは、コンテンツレーティングに応じてブロックするコンテンツを選択し、そのチャイルドアカウントのチケットクォータを設定することができる。子供は、メインメンバーのユーザー名と子供アカウントのパスワードを使用してシステムにログインすることができます。 子供は、ユーザ/会員が適切とみなしたコンテンツを閲覧し、予め定められたチケット割当が許す限り多くのチケットを購入することによって、選択されたコンテンツを見ることができる。
【００６８】
あるいは、本発明の改良されたシステム、方法、および装置は、ユーザ/メンバーが、1人当たりのペイ・パー・プレイ（per-per-play-per-person）単位時間スキーム単位。例えば、消費者は、現在、Verizon（登録商標）またはComcast（登録商標）などのインターネットプロバイダからチャネルのバンドルパッケージを購入しなければならない。バンドルされたパッケージは高価であり、通常、視聴者が見ることができるよりも多くのチャンネルがあります。しかし、本発明のシステム/装置では、専有システムソフトウェアがディスプレイユニット（例えば、スマートTV）にダウンロードされると、ユーザはメニューから「TV」を選択し、表示されたTVガイドから視聴するチャネルを選択する。選択されたチャネルのコストは、例えば、1時間当たり0.35ドル、1人当たりの1時間当たりの料金であることを示すメッセージが表示されます。したがって、2人が選択したチャンネルを視聴すると、合計費用は1時間あたり0.70ドルになります。したがって、本発明のシステム/装置は、消費者が一揃いの方法で娯楽番組を選択する選択肢を可能にする。毎月のTVバンドルパッケージの購入はなく、消費者は視聴するチャンネルに対してのみ料金を支払う。さらに、消費者は、テレビの電源が切られていても視聴されていないときに、例えば、仕事の時間と旅行の日のようなコンテンツの支払いを要求されることはない。さらに、コンテンツプロバイダは、単位時間当たり1人当たりの料金を課金することができ、コンテンツプロバイダにとってより多くの収益を生み出すことができる。
【００６９】
再び、本発明のシステム、方法および装置の目的は、映画館または劇場、ライブコンサートおよびスポーツイベント、ミュージカル、オペラ、ブロードウェイショー、コメディショーでのみ利用可能な初回の映画を視聴する機会を消費者に提供することである、スマートフォンやタブレットなどのモバイルデバイスを使用して、ディスプレイデバイスと高速インターネット接続を備えたあらゆる場所で、自分の家で快適にセミナーを楽しむことができます。最初の実行コンテンツが許可なしに共有または記録されるのを防ぐために、強化された認証および検証方式として使用されます。第1の実行コンテンツは、システムのユーザによって、単位時間当たりの1人当たりの視聴単価で見ることができる。強化された認証および検証スキームには、コンテンツが適切な数の視聴者に配信され、適切な視聴者数に対して適切な支払いが行われるようにするためのスキームが含まれています。コントローラが、コンテンツがストリーミングされているディスプレイユニット（例えば、スマートTV）と同じ部屋にあることを確認する。表示装置を指し示すカメラのような外部記録装置が位置、視界領域または部屋にあるかどうかを検出することは、許可なしにコンテンツを盗む試みがなされていることを示唆する。ストリーミングコンテンツを海賊版したユーザーに追跡される個人識別情報を提供することができます。
【００７０】
改善された認証および検証の保護手段を提供しながら、消費者に第1ラン映画および他の第1ランコンテンツを見る機会を消費者に提供するための新規で改良されたシステムおよび装置の好ましい実施形態を説明したが、他の修正、変形および変更本明細書に記載の教示を考慮して、当業者に示唆されてもよい。 したがって、そのような変更、修正、および変更のすべては、添付の特許請求の範囲によって規定される本発明の範囲内にあると考えられることが理解されるべきである。本明細書では特定の用語を使用しているが、それらは一般的かつ説明的な意味でのみ使用され、限定のためではない。
【図１】
2017518714.tif 000003
【図２】
2017518714.tif 000004
【図３】
2017518714.tif 000005
【図４】
2017518714.tif 000006
【図５】
2017518714.tif 000007
【図６】
2017518714.tif 000008
【図７】
2017518714.tif 000009
【図８】
2017518714.tif 000010
【図９】
2017518714.tif 000011
【図１０】
2017518714.tif 000012
【図１１】
2017518714.tif 000013
【図１２】
2017518714.tif 000014
【図１３】
2017518714.tif 000015
【図１４】
2017518714.tif 000016
【図１５】
2017518714.tif 000017
【図１６】
2017518714.tif 000018
【国際調査報告】
2017518714.tif 000019